【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
前記可変表示装置は、各々が識別情報を周期的に移動させることにより変動表示させる複数の可変表示部を含むとともに、前記スロットマシンは、該複数の可変表示部に表示結果として導出された識別情報の組み合わせに応じて入賞を発生させるものであり、
前記スロットマシンは、
ゲーム毎に前記可変表示装置の表示結果が導出されるより前に、通常遊技状態よりも遊技者にとって有利な特別遊技状態への移行を伴う特別表示結果と、該特別表示結果とは異なる一般表示結果とを含む複数種類の入賞表示結果の導出を許容するか否かを決定する事前決定手段と、
前記識別情報の変動表示を停止させるために遊技者により操作される停止操作手段と、
前記停止操作手段が操作されたときに、該停止操作手段に対応する可変表示部の表示結果として予め定められた引き込み範囲内に位置する表示位置からいずれかの表示位置を前記事前決定手段の決定結果に基づいて導出させる制御を行う手段であって、前記事前決定手段により所定の不利決定が行われていることを条件として前記特別表示結果とは異なる所定の不利表示結果を導出させる導出制御手段と、
前記可変表示装置の表示結果として前記特別表示結果が導出されたときに、所定の特別終了条件が成立するまで、前記特別遊技状態に遊技状態を制御する特別遊技状態制御手段と、
前記特別遊技状態とは異なる所定の遊技状態において前記可変表示装置の表示結果として前記不利表示結果が導出されたときに、所定の不利終了条件が成立するまで、遊技者にとって不利な不利状態に遊技状態を制御する不利状態制御手段と、
前記不利表示結果の導出を回避するための前記停止操作手段の操作手順を報知する回避権利を付与するか否かを決定する回避権利決定手段と、
前記所定の遊技状態において前記回避権利決定手段の決定により付与された回避権利を用い、該用いた回避権利に基づく報知終了条件が成立するまで前記不利決定が行われたときに前記不利表示結果の導出を回避するための前記停止操作手段の操作手順を報知する手順報知手段と、
前記回避権利決定手段の決定により付与した回避権利を、各々の回避権利が前記手順報知手段によって用いられるまで複数個持ち越すことが可能な回避権利持越手段と、
前記回避権利持越手段により持ち越された前記回避権利の個数が所定数以上であることを条件として、特定演出を実行する特定演出実行手段とを備え、
前記事前決定手段は、
前記一般表示結果のうちの第１一般表示結果の導出を許容する旨を単独で決定する第１の決定手段と、前記一般表示結果のうちの前記第１一般表示結果と第２一般表示結果の導出を許容する旨を同時に決定する第２の決定手段と、前記第１一般表示結果と前記特別表示結果の導出を許容する旨を同時に決定する第３の決定手段と、前記第１一般表示結果と前記第２一般表示結果と前記特別表示結果の導出を許容する旨を同時に決定する第４の決定手段とを含むとともに、
前記第１の決定手段による決定がされる確率と前記第３の決定手段による決定がされる確率との比は、前記第２の決定手段による決定がされる確率と前記第４の決定手段による決定がされる確率との比とは異なり、
前記導出制御手段は、
前記第１の決定手段または前記第３の決定手段により前記第１一般表示結果の導出が許容されているときに、前記停止操作手段が操作され、該停止操作手段に対応する可変表示部において前記予め定められた引き込み範囲内に前記複数の可変表示部に跨って設定された複数のラインのうち第１のラインに前記第１一般表示結果を構成する識別情報が停止する第１の表示位置及び前記複数のラインのうち第２のラインに前記第１一般表示結果を構成する識別情報が停止する第２の表示位置のうち前記第１の表示位置のみに位置する場合に前記第１の表示位置を導出させる制御を行い、該停止操作手段に対応する可変表示部において前記予め定められた引き込み範囲内に前記第１の表示位置及び前記第２の表示位置の双方が位置する場合に前記第１の表示位置を導出させる制御を行い、該停止操作手段に対応する可変表示部において前記予め定められた引き込み範囲内に前記第１の表示位置及び前記第２の表示位置のうち前記第２の表示位置のみ位置する場合に前記第２の表示位置を導出させる制御を行い、
前記第２の決定手段または前記第４の決定手段により前記第１一般表示結果の導出が許容されているときに、前記停止操作手段が操作され、該停止操作手段に対応する可変表示部において前記予め定められた引き込み範囲内に前記第１のラインに前記第１一般表示結果を構成する識別情報が停止する第１の表示位置及び前記第２のラインに前記第１一般表示結果を構成する識別情報が停止する第２の表示位置のうち前記第１の表示位置のみに位置する場合に前記第１の表示位置を導出させる制御を行い、該停止操作手段に対応する可変表示部において前記予め定められた引き込み範囲内に前記第１の表示位置及び前記第２の表示位置の双方が位置する場合に前記第２の表示位置を導出させる制御を行い、該停止操作手段に対応する可変表示部において前記予め定められた引き込み範囲内に前記第１の表示位置及び前記第２の表示位置のうち前記第２の表示位置のみ位置する場合に前記第２の表示位置を導出させる制御を行う
ことを特徴とするスロットマシン。
【請求項２】
前記特定演出実行手段は、前記可変表示装置に所定の表示結果が導出されたことを契機として、前記特定演出を実行する
ことを特徴とする請求項１に記載のスロットマシン。
【請求項３】
前記特定演出実行手段は、前記所定の遊技状態以外の遊技状態に制御されているときに、前記特定演出を実行する
ことを特徴とする請求項１または２に記載のスロットマシン。
【請求項４】
前記一般表示結果のうちの小役表示結果が導出されたときに、該導出された小役表示結果に応じて定められた数の遊技用価値を遊技者に付与する遊技用価値付与手段をさらに備え、
前記特別遊技状態制御手段は、前記特別表示結果の導出後に前記遊技用価値付与手段により遊技者に付与された遊技用価値の総数が予め定められた特別規定数に達するまで、前記特別遊技状態に遊技状態を制御し、
前記回避権利決定手段は、前記特別表示結果の導出後において前記事前決定手段により導出を許容する旨が決定された小役表示結果が必ず導出されるものとした場合に前記遊技用価値付与手段により付与されることとなる遊技用価値の総数が予め定められた特定規定数に達するまで、前記回避権利を付与するか否かを決定する
ことを特徴とする請求項１乃至３のいずれか１項に記載のスロットマシン。
【請求項５】
前記事前決定手段により前記第１一般表示結果の導出を許容する旨が少なくとも決定されたときに、所定の演出を実行する演出実行手段をさらに備え、
前記演出実行手段は、導出を許容する旨が決定された一般表示結果の種類に応じた割合で複数種類の演出態様のうちから何れかの演出態様を選択し、該選択した演出態様で前記所定の演出を実行する
ことを特徴とする請求項１乃至４のいずれか１項に記載のスロットマシン。
【請求項６】
前記事前決定手段により前記第１一般表示結果の導出を許容する旨が少なくとも決定されたときに、所定の演出を実行する演出実行手段をさらに備え、
前記演出実行手段は、前記第１一般表示結果の導出を許容する旨が少なくとも決定されたゲームが終了するまでの導出を許容する旨が決定された一般表示結果の種類に応じたタイミングで前記所定の演出を実行する
ことを特徴とする請求項１乃至５のいずれか１項に記載のスロットマシン。
【請求項７】
少なくとも前記事前決定手段により前記特別表示結果の導出を許容する旨が決定されたことを含む所定の連続演出開始条件が成立したときに、１ゲームよりも長い所定ゲーム数の間だけ継続する連続演出を実行する連続演出実行手段をさらに備え、
前記事前決定手段は、前記一般表示結果のうちの特定表示結果の導出を許容する旨を決定するときに前記特別表示結果の導出を許容する旨を同時に決定する同時特定決定手段と、前記特定表示結果の導出を許容する旨を単独で決定する単独特定決定手段とを含み、
前記連続演出実行手段は、前記連続演出開始条件が成立したときに複数種類の連続演出態様のうちから何れかの連続演出態様を選択し、該選択した連続演出態様で前記連続演出を実行するとともに、該連続演出の実行中に前記特定表示結果の導出を許容する旨が決定されたときに、実行中の連続演出の連続演出態様を変更する演出態様変更手段を含む
ことを特徴とする請求項１乃至６のいずれか１項に記載のスロットマシン。
【請求項８】
前記事前決定手段は、前記事前決定手段により所定の有利決定が行われていることを条件として所定の有利表示結果を導出させ、
前記スロットマシンは、
前記所定の遊技状態において前記有利表示結果が導出されたときに、前記特別遊技状態とも前記不利状態とも前記所定の遊技状態とも異なる遊技状態であって遊技者にとって有利な有利状態に遊技状態を制御する有利状態制御手段と、
前記有利状態において予め定められた有利規定ゲーム数を消化したときに、該有利状態を終了させて前記所定の遊技状態に制御する有利状態終了手段とをさらに備え、
前記手順報知手段は、前記有利状態が前記有利規定ゲーム数の消化により終了した後の前記所定の遊技状態において前記不利決定が行われたときに、前記回避権利に応じて前記不利表示結果の導出を回避するための前記停止操作手段の操作手順を報知し、
前記有利状態制御手段は、前記特別表示結果の導出を許容する旨が決定されても前記有利状態を終了させず、前記特別表示結果が導出されるまで、または前記有利規定ゲーム数を消化するまで、前記有利状態に遊技状態を制御し、
前記スロットマシンは、前記有利状態において前記有利規定ゲーム数を消化する前の残りゲーム数が所定ゲーム数よりも少ない期間において、前記特別表示結果の導出を許容する旨が決定されている可能性および／または前記回避権利が付与されている可能性を示す有利終了際演出を演出手段に実行させる有利終了際演出実行手段をさらに備える
ことを特徴とする請求項１乃至７のいずれか１項に記載のスロットマシン。
【請求項９】
前記事前決定手段は、前記不利決定を行うときに前記特別表示結果の導出を許容する旨を同時に決定する同時不利決定手段と、前記不利決定を単独で行う単独不利決定手段とを含み、
前記スロットマシンは、前記所定の遊技状態において前記同時不利決定手段による決定に基づいて前記不利表示結果が導出されたときに、前記不利状態に遊技状態を制御する旨を報知してから前記特別表示結果の導出を許容する旨が決定されている旨を遊技者に報知する特別決定報知手段をさらに備える
ことを特徴とする請求項１乃至８のいずれか１項に記載のスロットマシン。
【手続補正２】
【補正対象書類名】明細書
【補正対象項目名】００１２
【補正方法】変更
【補正の内容】
【００１２】
上記目的を達成するため、本発明にかかるスロットマシンは、
遊技用価値（メダル）を用いて１ゲームに対して所定数の賭数を設定することによりゲームを開始させることが可能となり、各々が識別可能な複数種類の識別情報を変動表示させる可変表示装置（可変表示装置２）に表示結果が導出されることにより１ゲームが終了し、該可変表示装置に導出された表示結果に応じて入賞が発生可能であるスロットマシン（スロットマシン１）において、
前記可変表示装置は、各々が識別情報を周期的に移動させることにより変動表示させる複数の可変表示部（リール３Ｌ、３Ｃ、３Ｒ）を含むとともに、前記スロットマシンは、該複数の可変表示部に表示結果として導出された識別情報の組み合わせに応じて入賞を発生させるものであり（図５（ａ））、
前記スロットマシンは、
ゲーム毎に前記可変表示装置の表示結果が導出されるより前に、通常遊技状態よりも遊技者にとって有利な特別遊技状態（ビッグボーナス、レギュラーボーナス）への移行を伴う特別表示結果（ビッグボーナス（Ａ）、ビッグボーナス（Ｂ）、ビッグボーナス（Ｃ）、レギュラーボーナス）と、該特別表示結果とは異なる一般表示結果（小役、リプレイ）とを含む複数種類の入賞表示結果の導出を許容するか否かを決定する事前決定手段（ＣＰＵ１１１：内部抽選（図５（ｂ）））と、
前記識別情報の変動表示を停止させるために遊技者により操作される停止操作手段（停止ボタン１２Ｌ、１２Ｃ、１２Ｒ）と、
前記停止操作手段が操作されたときに、該停止操作手段に対応する可変表示部の表示結果として予め定められた引き込み範囲内に位置する表示位置からいずれかの表示位置を前記事前決定手段の決定結果に基づいて導出させる制御を行う手段であって、前記事前決定手段により所定の不利決定（赤チェリー、青チェリーまたは白チェリーの当選）が行われていることを条件として前記特別表示結果とは異なる所定の不利表示結果（チェリーハズレ目）を導出させる導出制御手段（ＣＰＵ１１１：リール３Ｌ、３Ｃ、３Ｒの停止制御）と、
前記可変表示装置の表示結果として前記特別表示結果が導出されたときに、所定の特別終了条件が成立するまで、前記特別遊技状態に遊技状態を制御する特別遊技状態制御手段（ＣＰＵ１１１：ビッグボーナス（Ａ）、ビッグボーナス（Ｂ）またはビッグボーナス（Ｃ）に入賞するとビッグボーナスに、レギュラーボーナスに入賞するとレギュラーボーナスに遊技状態を制御（図６））と、
前記特別遊技状態とは異なる所定の遊技状態において前記可変表示装置の表示結果として前記不利表示結果が導出されたときに、所定の不利終了条件が成立するまで、遊技者にとって不利な不利状態に遊技状態を制御する不利状態制御手段（ＣＰＵ１１１：通常遊技状態またはレアＲＴにおいてチェリーハズレ目が導出されると不利ＲＴに遊技状態を制御（図６））と、
前記不利表示結果の導出を回避するための前記停止操作手段の操作手順を報知する回避権利（ナビ権利）を付与するか否かを決定する回避権利決定手段（ＣＰＵ１２１（ステップＳ１１３、Ｓ１１８）：ＲＴナビ抽選を実行）と、
前記所定の遊技状態において前記回避権利決定手段の決定により付与された回避権利を用い、該用いた回避権利に基づく報知終了条件が成立するまで前記不利決定が行われたときに前記不利表示結果の導出を回避するための前記停止操作手段の操作手順を報知する手順報知手段（ＣＰＵ１２１（ステップＳ１０３〜Ｓ１０８）：通常遊技状態またはレアＲＴにおいてナビ権利カウンタの値が０より大きいときには、特別スタート音を出力させ、当選しているものの種類に応じた画像を液晶表示器４に表示する。ＲＴナビの実行によりナビ権利カウンタの値を減算する）と、
前記回避権利決定手段の決定により付与した回避権利を、各々の回避権利が前記手順報知手段によって用いられるまで複数個持ち越すことが可能な回避権利持越手段（ＣＰＵ１２１（ステップＳ１０８、Ｓ１１５、Ｓ１２０）：ナビ権利カウンタの値は、ＲＴナビ抽選の当選により１だけ加算され、）と、
前記回避権利持越手段により持ち越された前記回避権利の個数が所定数以上であることを条件として、特定演出（特別払い出し音）を実行する特定演出実行手段（ＣＰＵ１２１（ステップＳ１２６、Ｓ１２７）：遊技状態とナビ権利カウンタに従って払い出し音を選択して出力。ナビ権利カウンタの値が１または２のときに特別払い出し音Ａを、ナビ権利カウンタの値が３のときに特別払い出し音Ａまたは特別払い出し音Ｂを出力可能（図８））とを備え、
前記事前決定手段は、
前記一般表示結果のうちの第１一般表示結果（スイカ）の導出を許容する旨を単独で決定する第１の決定手段（スイカ（図５（ｂ））と、前記一般表示結果のうちの前記第１一般表示結果と第２一般表示結果（１枚役）の導出を許容する旨を同時に決定する第２の決定手段（スイカ＋１枚役（図５（ｂ））と、前記第１一般表示結果と前記特別表示結果の導出を許容する旨を同時に決定する第３の決定手段（ビッグボーナス（Ａ）＋スイカ、ビッグボーナス（Ｂ）＋スイカ、ビッグボーナス（Ｃ）＋スイカ、レギュラーボーナス＋スイカ（図５（ｂ））と、前記第１一般表示結果と前記第２一般表示結果と前記特別表示結果の導出を許容する旨を同時に決定する第４の決定手段（ビッグボーナス（Ａ）＋スイカ＋１枚役、ビッグボーナス（Ｂ）＋スイカ＋１枚役、ビッグボーナス（Ｃ）＋スイカ＋１枚役、レギュラーボーナス＋スイカ＋１枚役（図５（ｂ））とを含むとともに、
前記第１の決定手段による決定がされる確率と前記第３の決定手段による決定がされる確率との比は、前記第２の決定手段による決定がされる確率と前記第４の決定手段による決定がされる確率との比とは異なり（スイカ、スイカ＋１枚役の判定値数は、何れも１３１０、ビッグボーナス（Ａ）＋スイカ、ビッグボーナス（Ｂ）＋スイカ、ビッグボーナス（Ｃ）＋スイカ、レギュラーボーナス＋スイカの判定値数がそれぞれ２１、ビッグボーナス（Ａ）＋スイカ＋１枚役、ビッグボーナス（Ｂ）＋スイカ＋１枚役、ビッグボーナス（Ｃ）＋スイカ＋１枚役、レギュラーボーナス＋スイカ＋１枚役の判定値数がそれぞれ９（図５（ｂ））、
前記導出制御手段は、
前記第１の決定手段または前記第３の決定手段により前記第１一般表示結果の導出が許容されているときに、前記停止操作手段が操作され、該停止操作手段に対応する可変表示部において前記予め定められた引き込み範囲内に前記複数の可変表示部に跨って設定された複数のラインのうち第１のラインに前記第１一般表示結果を構成する識別情報が停止する第１の表示位置及び前記複数のラインのうち第２のラインに前記第１一般表示結果を構成する識別情報が停止する第２の表示位置のうち前記第１の表示位置のみに位置する場合に前記第１の表示位置を導出させる制御を行い、該停止操作手段に対応する可変表示部において前記予め定められた引き込み範囲内に前記第１の表示位置及び前記第２の表示位置の双方が位置する場合に前記第１の表示位置を導出させる制御を行い、該停止操作手段に対応する可変表示部において前記予め定められた引き込み範囲内に前記第１の表示位置及び前記第２の表示位置のうち前記第２の表示位置のみ位置する場合に前記第２の表示位置を導出させる制御を行い（スイカ当選フラグが単独で設定されている場合と、ビッグボーナス（Ａ）当選フラグ、ビッグボーナス（Ｂ）当選フラグ、ビッグボーナス（Ｃ）当選フラグまたはレギュラーボーナス当選フラグとスイカ当選フラグとが重複して設定されている場合は、原則としてスイカの図柄を横方向３本の何れかの入賞ラインに揃える）、
前記第２の決定手段または前記第４の決定手段により前記第１一般表示結果の導出が許容されているときに、前記停止操作手段が操作され、該停止操作手段に対応する可変表示部において前記予め定められた引き込み範囲内に前記第１のラインに前記第１一般表示結果を構成する識別情報が停止する第１の表示位置及び前記第２のラインに前記第１一般表示結果を構成する識別情報が停止する第２の表示位置のうち前記第１の表示位置のみに位置する場合に前記第１の表示位置を導出させる制御を行い、該停止操作手段に対応する可変表示部において前記予め定められた引き込み範囲内に前記第１の表示位置及び前記第２の表示位置の双方が位置する場合に前記第２の表示位置を導出させる制御を行い、該停止操作手段に対応する可変表示部において前記予め定められた引き込み範囲内に前記第１の表示位置及び前記第２の表示位置のうち前記第２の表示位置のみ位置する場合に前記第２の表示位置を導出させる制御を行う（スイカ当選フラグと１枚役当選フラグとが重複して設定されている場合と、ビッグボーナス（Ａ）当選フラグ、ビッグボーナス（Ｂ）当選フラグ、ビッグボーナス（Ｃ）当選フラグまたはレギュラーボーナス当選フラグとスイカ当選フラグと１枚役当選フラグとが重複して設定されている場合には、原則としてスイカの図柄を対角線２本の何れかの入賞ラインに揃える）
ことを特徴とする。
【手続補正３】
【補正対象書類名】明細書
【補正対象項目名】００１６
【補正方法】変更
【補正の内容】
【００１６】
また、第１一般表示結果が導出されるときにおいて、特別表示結果の導出を許容する旨も同時に決定されているか否かに応じて、第１一般表示結果が導出されやすいラインが異なることとなる。このため、第１一般表示結果が導出されたラインに応じて特別表示結果の導出を許容する旨が決定されていることに対する期待感を遊技者に与えることができ、さらに遊技の興趣を向上させることができる。また、第１一般表示結果が第１、第２の何れのラインに導出された場合でも、特別遊技状態への移行を伴う特別表示結果の導出を許容する旨が決定されている可能性はあり、遊技者の期待感を損なわせることがない。
【手続補正４】
【補正対象書類名】明細書
【補正対象項目名】００３３
【補正方法】変更
【補正の内容】
【００３３】
これらの場合には、第１一般表示結果の導出を許容する旨が少なくとも決定されている（特別表示結果および／または第２一般表示結果との同時決定を含む）と、所定の演出が実行されるが、導出を許容する旨が決定された一般表示結果の種類に応じて演出の演出態様や実行タイミングが変わるものとなる。第１一般表示結果が導出されたラインの違いだけではなく、この演出態様や実行タイミングの違いによっても特別表示結果の導出を許容する旨が決定されていることの期待感を与えることができるので、さらに遊技の興趣を向上させることができる。